(57)【要約】【課題】名刺中に営業情報等の情報をより多く記載して、名刺として差し出した後はこれを営業用等のパンフレットとしても機能させ、営業効果等の対人効果を高めることができ、かつ、名刺を用いる者および名刺をもらった者の双方にとって、収納や取り扱いが便利な名刺を提供すること。【解決手段】両面とも印刷の可能な長方形のシート１が複数枚綴じられた小冊子の構成をとり、そのページ１を開いた後は再接着しない、接着部２においてなされる接着手段により各シート１が接着され、前記各シート１の綴じは、各シート１の背側端部１Ｅが結合されている背部３が形成されていることによりなされるパンフレット兼用名刺１０を構成する。【選択図】  図２
2004167749.tif 000002
【特許請求の範囲】
【請求項１】
両面とも印刷の可能な長方形のシートが複数枚綴じられた小冊子の構成をとるパンフレット兼用名刺であって、そのページを開いた後は再接着しない接着手段により各シートが接着されていることにより、ページを開く前は名刺として、ページを開いた後は名刺付きのパンフレットとして機能させることができることを特徴とする、パンフレット兼用名刺。
【請求項２】
前記各シートの綴じは、各シートの背側端部が結合されている背部が形成されていることによりなされていることを特徴とする、請求項１に記載のパンフレット兼用名刺。
【請求項３】
前記各シートの綴じは、各シートがその背側端部において背部に接着されることによりなされていることを特徴とする、請求項１に記載のパンフレット兼用名刺。
【請求項４】
前記シートは合成紙であり、前記各シートの綴じは、各シートの背側端部が溶着されることにより背部が形成されてなされていることを特徴とする、請求項１に記載のパンフレット兼用名刺。
【請求項５】
前記接着手段は合成紙からなる各シート間を溶着させるものであることを特徴とする、請求項４に記載のパンフレット兼用名刺。
【請求項６】
前記接着手段とは別に、ページを開いた後もページを再剥離可能に繰り返し粘着させることのできる剥離粘着手段が設けられていることを特徴とする、請求項１ないし５のいずれかに記載のパンフレット兼用名刺。
【請求項７】
前記剥離粘着手段は、表紙に該当する二のシートの一方の見返しに設けられ、これが他方の見返しに再剥離可能に粘着できるように、両見返しの間に設けられるシートには欠切部が設けられていることを特徴とする、請求項６に記載のパンフレット兼用名刺。
【請求項８】
表紙に該当する二のシートの少なくとも一方は、その角部が、ページをめくりやすくするための欠切部が設けられている角部構造を有することを特徴とする、請求項１ないし７のいずれかに記載のパンフレット兼用名刺。
【発明の詳細な説明】
【０００１】
【発明の属する技術分野】
本発明は名刺に関し、特に、名刺として手渡した後はこれを営業用等のパンフレットとしても機能させることのできる、パンフレット兼用名刺に関する。
【０００２】
【従来の技術】
名刺には通常、それを使用する者の氏名、所属、連絡先情報が基本的に記載され、場合によってはさらに、所属先の営業案内、肖像を含む個人的プロフィール等が付加されて、営業効果等の対人効果を高めることがなされる。しかし通常名刺は単一のシートからなるため、これらの付加的情報も通常は、シートの表裏各面を用いて記載される。
【０００３】
これに対し、名刺の構成を工夫して、名刺中に営業情報等の情報をより多く記載して、営業効果等の対人効果を高めるための提案もなされている。このうち、
（ａ）特開平０９−２８６１８６号公報に開示された「名刺」は、  取り扱いや保存が容易であって、従来より多くの情報を相手に示すことができる名刺の提供を目的として、  一方の面に印刷面を形成する基板と、その基板の他方の面を覆うカバー紙と、そのカバー紙及び基板の間に位置して表記部分を有する中間紙とを備えた名刺であって、該カバー紙は、その端縁の一方側に位置して剥離不能に基板に接着固定する接着固定部と、カバー紙の端縁の他方側に位置して基板に粘着剥離可能に形成されている粘着剥離部とを備え、該中間紙の一端縁は、基板に固定されている構成を、解決手段として提案している（特許文献１）。
【０００４】
また、（ｂ）特開平１０−２９７１４９号公報に開示された「折り重ねた名刺」は、従来の名刺に比べて大量の情報を記載する名刺を実現する目的で、情報を記載した複数枚の紙片１、２を折り重ね、互いに対向する面を剥離可能に擬似接着して１枚の名刺にする構成を提案し、これにより各紙片に情報が記載できるので、従来に比べて大量の情報を１枚の名刺に盛り込むことができ、販売の促進などに役立つとしている（特許文献２）。
【０００５】
また、（ｃ）実用新案登録第３０５６５５４号に開示された「名刺」は、名刺を受け取った者が感じる印象が強く、かつ、従来の一般的な名刺そのものの機能以外の多種にわたる機能を兼ね備えた名刺サイズの小冊子からなるユニークな名刺の提供を目的として、名刺を、少なくとも表表紙と裏表紙と該表表紙と裏表紙間の複数のシート部とが綴じられて構成される名刺サイズの小冊子から構成し、表表紙及び裏表紙の一方の表面には、名刺に表す人物紹介を印刷すると共に、他方の表面には、名刺に表す人物と関連する情報を印刷し、表表紙及び裏表紙のうち少なくとも一方を袋状に形成して、少なくとも名刺を出し入れ可能に封入する一方、複数のシート部を、メモ用紙とする考案を提案している（特許文献３）。
【０００６】
【特許文献１】
特開平０９−２８６１８６号公報
【特許文献２】
特開平１０−２９７１４９号公報
【特許文献３】
実用新案登録第３０５６５５４号
【０００７】
【発明が解決しようとする課題】
しかし（ａ）の提案には次のような問題点がある。すなわち、名刺はその機能および用途から省スペースの構造であることが要求されるとともに既にそのサイズは実質的に標準化されており、名刺ケース等の関連製品もそれに合わせて広く提供されているところ、（ａ）提案では、粘着剥離による名刺の実体部である中間紙の収納のために、カバー紙および基板を中間紙よりも大きいサイズで構成しなくてはならず、名刺を用いる者および名刺をもらった者の双方にとって、収納や取り扱いに不便であるとともに、汎用性がない。
【０００８】
さらに、基板へのカバー紙、中間紙の接着固定は、シート面上での接着固定であるため、ページを開く際には閉じ方向に戻ろうとする反発力が働き、これを押さえるためには折り目をつける等の処置が必要になるなど、ページ開閉の取り扱いが不便かつ不体裁である。
【０００９】
また（ｂ）の提案では、一度剥離してしまうとこれを元のコンパクトな形態に戻すことはできず、名刺をもらった側の収納や取り扱いが不便である。
その解決手段は示されていない。
【００１０】
また（ｃ）の提案では、冊子型に構成されたシート部はメモ帳としての機能を果たすことを目的に構成されており、営業情報等の情報を多く記載するための構成ではない。また、表紙は名刺を収納するための袋状の構造を有するなど多機能化を意図した構成がなされており、むしろメモ帳態様のパブリシティ的性格を主眼とするものである。したがって、営業情報等の情報をより多く記載できることによって営業効果等の対人効果を高めるという課題に対する、直接的な解決手段を提示しているものではない。
【００１１】
本発明の課題は、上記従来技術の欠点を除き、名刺中に営業情報等の情報をより多く記載して、名刺として手渡した後はこれを営業用等のパンフレットとしても機能させることにより、営業効果等の対人効果を高めることのできる名刺を提供することである。
【００１２】
また、本発明の別の課題は、名刺を用いる者および名刺をもらった者の双方にとって、収納や取り扱いが便利であるとともに、取り扱い方法が体裁のよい、上記名刺を提供することである。
【００１３】
【課題を解決するための手段】
本願発明者は上記課題について鋭意検討した結果、複数枚のシートの綴じ方や接着方法を工夫することにより上記課題を解決できることを見出し、本発明に至った。すなわち、上記課題を解決するための手段として本願で特許請求される発明は、以下のとおりである。
【００１４】
（１）両面とも印刷の可能な長方形のシートが複数枚綴じられた小冊子の構成をとるパンフレット兼用名刺であって、そのページを開いた後は再接着しない接着手段により各シートが接着されていることにより、ページを開く前は名刺として、ページを開いた後は名刺付きのパンフレットとして機能させることができることを特徴とする、パンフレット兼用名刺。
【００１５】
（２）前記各シートの綴じは、各シートの背側端部が結合されている背部が形成されていることによりなされていることを特徴とする、（１）のパンフレット兼用名刺。
【００１６】
（３）前記各シートの綴じは、各シートがその背側端部において背部に接着されることによりなされていることを特徴とする、（１）のパンフレット兼用名刺。
【００１７】
（４）前記シートは合成紙であり、前記各シートの綴じは、各シートの背側端部が溶着されることにより背部が形成されてなされていることを特徴とする、（１）のパンフレット兼用名刺。
【００１８】
（５）前記接着手段は合成紙からなる各シート間を溶着させるものであることを特徴とする、請求項４に記載（４）のパンフレット兼用名刺。
【００１９】
（６）前記接着手段とは別に、ページを開いた後もページを再剥離可能に繰り返し粘着させることのできる剥離粘着手段が設けられていることを特徴とする、（１）ないし（５）のいずれかのパンフレット兼用名刺。
【００２０】
（７）前記剥離粘着手段は、表紙に該当する二のシートの一方の見返しに設けられ、これが他方の見返しに再剥離可能に粘着できるように、両見返しの間に設けられるシートには欠切部が設けられていることを特徴とする、（６）のパンフレット兼用名刺。
【００２１】
（８）表紙に該当する二のシートの少なくとも一方は、その角部が、ページをめくりやすくするための欠切部が設けられている角部構造を有することを特徴とする、（１）ないし（７）のいずれかのパンフレット兼用名刺。
【００２２】
すなわち本発明の名刺は、名刺中に営業情報等の情報をより多く記載して、名刺として手渡した後はこれを営業用等のパンフレットとしても機能させ、営業効果等の対人効果を高めることのできる名刺を提供するという課題に対し、複数枚のシートを綴じた冊子型の構成をとることを基本とする。
【００２３】
そして、本発明の別の課題は、名刺を用いる者および名刺をもらった者の双方にとって、収納や取り扱いが便利であるとともに、取り扱い方法の体裁をよくするという課題に対し、シートの綴じ方や接着方法を工夫することなどにより、上記各課題を解決したものである。
【００２４】
【発明の実施の形態】
以下、本発明を図面により詳細に説明するが、本発明はこれらの図面に表されたものに限定されるものではない。
図１は、本発明のパンフレット兼用名刺の構成を示す正面図、また、
図２は、本発明のパンフレット兼用名刺の構成を示す、表側表紙をめくった状態の斜視図である。これらの図において本パンフレット兼用名刺１０は、両面とも印刷の可能な長方形のシート１（図では、その種類をそれぞれ表示する、１１、１２等の符号も、併せて表示する。後述説明参照。）が複数枚綴じられた小冊子の構成をとるものであって、そのページ１を開いた後は再接着しない、接着部２においてなされる接着手段により各シート１が接着されていること、を主たる構成とする（請求項１）。
【００２５】
図において前記接着手段としては、図中の２で示すように、全部のシート１、または表紙に該当する二のシート１１および１２の特定位置の点状部分のみ、あるいは特定の局部のみを、相互に接着する接着手段を用いることができる。
【００２６】
本発明において接着手段は、再接着が可能である必要はなく、一度剥離させた後は改めて再接着できるような構成である必要はない。つまり、名刺使用者から名刺が相手に渡されるまでは該接着手段により本パンフレット兼用名刺１０はページが閉じられた状態とし、渡された相手がページを開いた後は、敢えて改めて再接着しなくてもよい構成とすることができる。
【００２７】
本発明のパンフレット兼用名刺に用いるシート１は、表紙サイズのシートを複数用いるものであっても、あるいは表紙サイズの２倍のサイズのシートを折ってこれを複数用いるものであっても、あるいはまた該２倍サイズのシートを折ったものと表紙サイズのものとを組み合わせて用いるものであってもよく、すべて本発明のシートに該当する。またシートの材質としては、後述する合成紙、紙が代表的であるが、本発明はこれらに限られず、接着手段によって複数のシートを接着して綴じることができるものであれば、特に述べる場合を除き、特に限定せずに適宜の材料を用いることができる。
【００２８】
【作用】
図１および２に示す構成をとることにより、本発明のパンフレット兼用名刺１０は、これを構成する複数のシート１は、接着部２においてなされる接着手段によって接着されており、あたかも一枚の名刺のような外観を呈する。該接着手段は、複数のシート１を相互に剥離させることは容易であり、剥離がなされると、ページをめくることのできる、開かれた冊子の形態となる。よって、本パンフレット兼用名刺１０は、複数のページを開く前はまさに名刺として、ページを開いた後は名刺付きのパンフレットとして機能させることができる。したがって、表紙に該当するシート（以下、「表紙シート」ともいう。）１１、１２の見返し部分や、該シート１１、１２の間に設けられるシート（以下、「中間シート」ともいう。）１３に、営業情報等の情報を適宜、自由な方法で、予め印刷した状態で本名刺１０を構成することによって、営業効果等の対人効果を高めることができる。
【００２９】
本パンフレット兼用名刺１０では、これを構成するシート１は表紙シート１１、１３も含めすべて同一サイズとすることができる。すべて同一の通常の名刺サイズとすることができるため、このようなサイズに合わせて提供されている名刺ケースや名刺ホルダー等に収納することができるなど、通常の名刺と同様に取り扱うことができる。
【００３０】
また本パンフレット兼用名刺１０は、長手方向を縦として、その綴じを左綴じとすることも右綴じとすることもでき、さらには上綴じ、下綴じとすることもできる。たとえば表紙シート１１に印刷された氏名・所属等の記載が横書きである場合は、名刺の長手方向を縦としての上綴じや下綴じの選択は有意義であると考えられる。
【００３１】
図において示される本発明のパンフレット兼用名刺１０を構成するシート１の枚数は一例であり、シート１の枚数、およびページの枚数は、名刺として使用できるものである限り、特に限定されない。またシート１の厚さも、４ページ以上のページ数を有する本発明パンフレット兼用名刺１０を構成できる限り、特に限定されない。
【００３２】
図３は、本発明のパンフレット兼用名刺の、各シートを剥離する前、またはページを閉じた状態を示す平面図である。図において本パンフレット兼用名刺１０は、各シート１の背側端部１Ｅが結合されている背部３が形成されていることにより、前記各シート１の綴じがなされている構成とすることができる（請求項２）。かかる構成をとることにより、各シート１の接着固定は、シート１面上での接着固定とする必要がなく、ページを開く際に閉じ方向に戻ろうとする反発力が働くことはなく、したがってこれを押さえるための折り目をつける等の処置も不要になり、ページ開閉の取り扱いが便利で、かつ体裁もよい。
【００３３】
図において本発明のパンフレット兼用名刺１０では、前記各シート１の綴じは、各シート１がその背側端部１Ｅにおいて背部３に接着されることによりなすことができる（請求項３）。すなわち、シート１と同一の材料または相違する材料により適宜構成された背部３を、複数のシート１とは別に準備し、これに各シート１の背側端部１Ｅが適宜の接着方法により接着されることにより、各シート１を綴じることができる。
【００３４】
また図において本パンフレット兼用名刺１０では、前記シート１として合成紙を用い、各シート１の背側端部１Ｅが溶着されて背部３が形成されることにより、各シート１の綴じをなすことができる（請求項４）。合成紙としては、合成樹脂を用いる内部紙化方法、プラスチックフィルムを用いる表面塗工方法、その他のフィルム法合成紙、あるいは、合成パルプを原料とする合成パルプ紙、合成樹脂を原料とするスパンボンド紙、その他のファイバー法合成紙、またはそれらによる製品を用いることができる。合成紙としてはこれらに限られず、適宜の加熱処理により複数のシートの背側端部における溶着が可能なものであれば、石油・石炭・その他の非木質材料等を用いた合成紙を、適宜用いることができる。
【００３５】
シート１として合成紙を用いることにより、本発明のパンフレット兼用名刺は耐水性や強度を備えることもでき、中間シート１３等に記載された情報の繰り返しの閲覧がなされても、すなわち繰り返しのページの開閉が行われても、容易に破損しない名刺とすることができる。すなわち、合成紙は本発明の目的のためには、望ましい材質である。
【００３６】
図４は、本発明のパンフレット兼用名刺の構成を示す側面図である。図において本パンフレット兼用名刺１０は、前記接着手段として、合成紙からなる各シート１間を溶着させる手段を用いて構成することができる（請求項５）。溶着処理は、たとえば、図の接着部分２のように特定の位置に対して、加熱された針などの加熱手段を、重なった複数のシート１に対して刺し、合成紙からなるシート１を部分的に溶かすことによって行うことができる。
【００３７】
接着部分２は、前出の図１、図３のようにシート面の上部、下部、および側部に計三箇所設けることができるが、本発明はこれに限定されず、複数のシート１を安定的に接着できる態様であれば、その個数、位置は適宜のものとすることができる。シート１の接着の安定性の目安は、接着によって本パンフレット兼用名刺１０が、シート１の剥離前には、容易に開いたりすることなくあたかも一枚の名刺のような外観を呈する状態であればよい。
【００３８】
図５は、本発明のパンフレット兼用名刺の構成を示す、裏側表紙をめくった状態の斜視図である。図において本パンフレット兼用名刺１０では、前記接着手段とは別に、ページを開いた後もページを再剥離可能に繰り返し粘着させることのできる剥離粘着手段４を設ける構成とすることができる（請求項６）。これにより、ページを開いた後（すなわち上記接着手段により接着されている複数のシート１を剥離した後）であっても、該剥離粘着手段４を用いることによって、再剥離可能な状態で繰り返し複数のシート１間を粘着させることができる。
【００３９】
すなわち剥離粘着手段４により、接着が解除されて自由にページを開閉できる冊子様の状態になったものを、再度安定的に閉じさせ、あたかも一枚の名刺のような外観を呈する状態にすることができる。さらに該剥離粘着手段４は再剥離が可能であるため、必要な場合は本パンフレット兼用名刺１０は、再度自由に開く状態にすることができる。該剥離粘着手段４により、これを繰り返し行うことができるため、本パンフレット兼用名刺を渡された者は、必要に応じ、情報内容の閲覧と、名刺本体の収納、それぞれに適した状態を即座に得ることができる。
【００４０】
図において前記剥離粘着手段４は、表紙に該当する二のシート１１、１２の一方の見返し１１Ａに設けられ、これが他方の見返し１２Ａ（図２参照。）に再剥離可能に粘着できるように、両見返し１１Ａおよび１２Ａの間に設けられるシート１３には、欠切部１３Ｂが設けられた構成とすることができる（請求項７）。該剥離粘着手段４は、少なくともある程度の回数の繰り返しの粘着と剥離が可能な接着力とその持続力を有するものであれば特に限定せず用いることができ、たとえば、適宜の接着力と持続力を有する粘着テープや粘着シートを適宜のサイズに調製して、これを見返し１１Ａに粘着面が表になるように接着固定することにより、本剥離粘着手段４とすることができる。
【００４１】
前記欠切部１３Ｂは、少なくともいずれか一方の見返し１１Ａに設けられた前記剥離粘着手段４が他方の見返し１２Ａに粘着するように、中間シート１３を該見返し１１Ａの上にすべて重ねた場合にも該剥離粘着手段４が見える窓を形成するように、設けられる。両見返しの再剥離可能な粘着は、この欠切部１３Ｂを通して該剥離粘着手段４と他方見返し１２Ａを合わせ、押圧するだけで行うことができる。再剥離は、ページをめくることにより容易に行うことができる。欠切部１３Ｂの形状は図では半円形であるが、本発明はこれに限定されず適宜の形状の欠切部とすることができる。
【００４２】
剥離粘着手段４を設ける見返しは、図では左綴じに構成した本パンフレット兼用名刺の裏表紙の見返し（１１Ａ）となっているが、設ける位置は表表紙側の見返し（１２Ａ）であってもよい。また両方に設けてもよい。
【００４３】
図１、２（いずれも前出）に示すように、本パンフレット兼用名刺１０は、表紙に該当する二のシート１１、１２の少なくとも一方は、その角部が、ページをめくりやすくするための欠切部が設けられている角部構造９を有する構成とすることができる（請求項８）。これにより、前記接着部分２における接着手段によるシート１の接着を解除する際、または前記剥離粘着手段４によるシート１の粘着を解除する際、容易となり、ページをめくりやすくすることができる。
【００４４】
パンフレット兼用名刺は、上述した各構成の他に、単一のシートを二つ折りにして名刺サイズとし、表紙を含めて計４ページの冊子状構成として、その他の点については上述の各構成を適宜適用した構成をとることができる。つまり、名刺サイズの２倍サイズのシートを二つ折りにして４ページ構成とし、これに前記接着手段を用いてページを閉じた状態にする。さらに、シート用紙として合成紙を用いたり、接着手段として溶着を用いたり、接着手段による接着を解除した後に再剥離可能に粘着できる剥離粘着手段を設けたり、ページのめくりを容易にするための角部構造を有する表紙とすることも、上述した複数シートによるパンフレット兼用名刺同様にできる。このようにシート数を複数ではなく単一にした場合は、印刷記載できる情報量はより限定されるが、背部の構成工程が不要になって製法が簡易となり、材料も節約でき、コスト低減を図ることができるという効果がある。
【００４５】
【実施例】
本発明のパンフレット兼用名刺は、通常の名刺として営業用その他に使用して、通常の名刺では不可能な対人効果を奏することができることはもちろんであるが、特に効果を発揮する使用例としては、パーティ席上や、非営業時間帯における偶然の営業相手との遭遇時における差し出しなど、営業説明に制限のある場合における使用がある。パーティの和やかな席上で場を弁えずＰＲ等を強引にすることは相手の気分を害したり周囲のムードを損ね、かえって逆効果となりかねない。しかし、本パンフレット兼用名刺を用いれば、名刺差し出しの際に相手迷惑な営業活動をしなくても後で情報を閲覧してもらうことができ、場のムードも損ねず、むしろ印象的な営業活動を展開することができる。
【００４６】
また、企業訪問しての営業活動では、社長や専務等の決裁権限のある職責の者は不在であることも多く、面会約束を取り付けることも容易でないことがある一方、営業を離れた意外な場所や時間帯に遭遇することもある。このような、営業説明準備のない場合であっても、誘導性のある本発明のパンフレット兼用名刺であれば、挨拶を超えた効果的な営業活動機会とすることができる。
【００４７】
本発明のパンフレット兼用名刺は上述のように構成されているため、次のような効果を有する。
（Ｉ）営業情報等、相手に伝達したい情報を、名刺態様の仕様の中に多く記載することができ、営業効果等の対人効果を高めることができる。
（ＩＩ）名刺として差し出した後は、これを営業用等のパンフレットとしても機能させ、しかも名刺を用いる者および名刺をもらった者の双方にとって、一枚の名刺として通常の名刺同様に扱えるため、収納や取り扱いが便利である。
（ＩＩＩ）合成紙や剥離粘着手段の採用により、繰り返しのパンフレット的使用にも適する。
【図面の簡単な説明】
【図１】本発明のパンフレット兼用名刺の構成を示す正面図である。
【図２】本発明のパンフレット兼用名刺の構成を示す、表側表紙をめくった状態の斜視図である。
【図３】本発明のパンフレット兼用名刺の構成を示す平面図である。
【図４】本発明のパンフレット兼用名刺の構成を示す側面図である。
【図５】本発明のパンフレット兼用名刺の構成を示す、裏側表紙をめくった状態の斜視図である。
【符号の説明】
１、１１、１２、１３…シート、  ２…接着部、  ３…背部、  １Ｅ…シートの背側端部、  ４…剥離粘着手段、  ９…角部構造、  １０…パンフレット兼用名刺、  １１Ａ、１２Ａ…見返し、  １３Ｂ…欠切部
【図１】
2004167749.tif 000003
【図２】
2004167749.tif 000004
【図３】
2004167749.tif 000005
【図４】
2004167749.tif 000006
【図５】
2004167749.tif 000007